(57)【特許請求の範囲】
【請求項１】
略直管状ランプを用いる一灯用の照明器具であって、前記略直管状ランプの光を反射する反射板と、検知エリア外に前記略直管状ランプが位置するように前記反射板から露出して前記略直管状ランプの径方向の近傍に配置した点灯制御用のセンサと、前記反射板を保持する器具本体とを備え、前記センサはセンサ本体を有して、前記センサ本体が前記略直管状ランプの長手方向もしくは径方向に起倒するように、前記センサ本体の後端部が前記反射板に回動可能に取付けられるかまたは前記センサ本体が前記反射板を貫通して前記後端部が前記器具本体に回動可能に取付けられた照明器具。
【請求項２】
前記センサは、照明器具の幅の内でランプ側方に設けられる請求項１記載の照明器具。
【請求項３】
前記センサを前記略直管状ランプの長手方向の略中央に配置した請求項１記載の照明器具。
【請求項４】
前記センサを前記略直管状ランプの長手方向の一端またはソケット部に配置した請求項１記載の照明器具。
【請求項５】
前記センサを前記略直管状ランプを保持する前記器具本体に着脱可能とした請求項１記載の照明器具。
【請求項６】
前記略直管状ランプを前面透光開口を有する前記器具本体内に保持し、前記前面透光開口に配光制御体を設け、前記センサを前記器具本体の周側縁近傍から前記配光制御体の下方に露出させた請求項１記載の照明器具。
【請求項７】
前記配光制御体はルーバである請求項６記載の照明器具。
【請求項８】
前記配光制御体はパネルである請求項６記載の照明器具。
【請求項９】
前記センサは、その検知エリア内の人体の存否に応じた出力が得られる人感センサである請求項１記載の照明器具。
【請求項１０】
前記センサは、その検知エリア内の照度に応じた出力が得られる照度センサである請求項１記載の照明器具。
【発明の詳細な説明】
【０００１】
【発明の属する技術分野】
この発明は、点灯制御用センサを有する照明器具に関するものである。
【０００２】
【従来の技術】
従来より、人感センサを用いて人の出入りを検出し、照明負荷を自動的に点灯・消灯させることが行われている。
【０００３】
（従来例１）
例えば、図２４に示すように、センサを備えていない複数の照明器具１００とは別に人感センサ１０１を天井などに設置すると共に、人感センサ１０１と各照明器具１００との間を制御線１０２により接続し、スイッチ要素（図示せず）をランプヘの給電路に挿入しておくことによって、各照明器具の点灯・消灯を制御することが行われている。１０６は略直管状ランプである。
【０００４】
（従来例２）
また、図２５および図２６に示すように、器具長手方向の一端にセンサ１０１が外付けされたセンサ付の照明器具が提供されている。（ａ）、（ｂ）は２灯式、（ｃ）は１灯式である。このセンサ付の器具を利用すれば、図２６に示すように１台のセンサ付の照明器具１０３と複数のセンサを備えていない照明器具１００の点灯・消灯を制御することができる。
【０００５】
（従来例３）
また、図２７から図２９に示すように２灯用照明器具１０５において、ランプ１０６間の長手方向の略中央部にセンサ１０１が配置された照明器具が提供されている。センサ１０１の検知エリアと器具１０５の照射エリアの中心がほぼ一致することから、この器具単独で用いた場合においても、センサ１０１の方向性を気にせず使用することができる。
【０００６】
（従来例４）
また、図３０および図３１に示すように、センサ（検知部）１０１ａと制御部を分離してリード線１０７で接続し、センサ１０１ａはランプ１０６に着脱可能な取付けのばね１０６ａを有し、制御部は器具１０５内に収納した器具１０５が提供されている。図３０および図３１（ａ）は富士型照明器具、図３１（ｂ）は笠付照明器具である。
【０００７】
【発明が解決しようとする課題】
しかしながら、従来例１の人感センサ１０１は照明器具１００とは別体で、照明器具１００と離隔して設置されているので、人感センサ１０１を設置するための工事や配線が別途必要であり、施工性に問題があった。
【０００８】
また、照明器具１００が既に設置された部屋に人感センサ１０１を新たに設置する場合、天井に穴を開けるなどの工事も必要となって、部屋の状態によっては穴を開ける工事が不可能で人感センサ１０１の取付けができない場合もあった。
【０００９】
これらの不具合を解決するものとして、従来例２のセンサ１０１付の照明器具１０３が提供されている。この照明器具１０３はセンサ１０１が外付けされているので、センサなし器具に比べて器具全体のサイズが大きくなり、センサなし器具の代わりに取付けることができない場合があるという不具合があった。また、センサ１０１が器具の一端にあるため、センサなし器具を含めた器具の配置設計を行う必要があった。
【００１０】
従来例３のセンサ付照明器具は２本以上のランプ１０６を備えた器具であるため、使用場所によっては照度が必要以上になり、省エネ効果が得られないという不具合があった。
【００１１】
従来例４のセンサ付照明器具はセンサ１０１ａをランプ１０５に着脱させるため、ランプ交換の度にセンサ１０１ａを取り外す必要があった。またリード線１０７が露出し、見栄えが悪いという不具合があった。
【００１２】
本発明は上記事由に鑑みて為されたものであり、その目的は、センサを備えていない照明器具と同様に簡単に施工できるセンサを備えた照明器具を提供することを目的とする。
【００１３】
【課題を解決するための手段】
請求項１記載の照明器具は、略直管状ランプを用いる一灯用の照明器具であって、前記略直管状ランプの光を反射する反射板と、検知エリア外に前記略直管状ランプが位置するように前記反射板から露出して前記略直管状ランプの径方向の近傍に配置した点灯制御用のセンサと、前記反射板を保持する器具本体とを備え、前記センサはセンサ本体を有して、前記センサ本体が前記略直管状ランプの長手方向もしくは径方向に起倒するように、前記センサ本体の後端部が前記反射板に回動可能に取付けられるかまたは前記センサ本体が前記反射板を貫通して前記後端部が前記器具本体に回動可能に取付けられたものである。
【００１４】
請求項１記載の照明器具によれば、センサはランプが検知エリア外となるように反射板から露出して設けられているため、センサを備えていない器具と同様に施工することができ、さらに施工面への取付手段などを含めた器具の形状に関する特有の設計が不要になる。
【００１５】
請求項２記載の照明器具は、請求項１において、前記センサが、照明器具の幅の内でランプ側方に設けられるものである。
【００１６】
請求項２記載の照明器具によれば、請求項１と同様な効果のほか、器具全体の外形寸法をセンサを備えていない照明器具と同じにすることができるので、センサを備えていない器具との取り替えも容易になる。
【００１７】
請求項３記載の照明器具は、請求項１において、前記センサを前記略直管状ランプの長手方向の略中央に配置したものである。
【００１８】
請求項３記載の照明器具によれば、請求項１と同様な効果のほか、照明器具の照射範囲の中心とセンサの検知範囲の中心とを略一致させることができ、施工時に器具本体の取付方向の自由度が高くなる。
【００１９】
請求項４記載の照明器具は、請求項１において、前記センサを前記略直管状ランプの長手方向の一端またはソケット部に配置したものである。
【００２０】
請求項４記載の照明器具によれば、請求項１と同様な効果のほか、器具本体の中央に電源線を引き込むための電源穴を設けることが容易になり、既設のセンサを備えていない器具との取り替え工事が容易になる。
【００２５】
請求項５記載の照明器具は、請求項１において、前記センサを前記略直管状ランプを保持する器具本体に着脱可能としたものである。
【００２６】
請求項５記載の照明器具によれば、センサを取り外した状態で収納することで、梱包サイズ、輸送コストが低減できる。また、センサの取付部を複数箇所設けることで、センサの長手方向の配置を変えることができる。しかも、センサを備えていない器具と同等の施工性を確保できる。
【００３１】
請求項６記載の照明器具は、請求項１において、前記略直管状ランプを前面透光開口を有する器具本体内に保持し、前記前面透光開口に配光制御体を設け、前記センサを前記器具本体の周側縁近傍から前記配光制御体の下方に露出させたものである。
【００３２】
請求項６記載の照明器具によれば、請求項１と同様な効果のほか、器具の配光、外観を損なうことなく、センサ付照明器具を実現することができる。
【００３３】
請求項７記載の照明器具は、請求項６において、前記配光制御体がルーバである。
【００３４】
請求項７記載の照明器具によれば、請求項６と同様な効果のほか、それをルーバ付照明器具で達成できる。
【００３５】
請求項８記載の照明器具は、請求項６において、前記配光制御体がパネルである。
【００３６】
請求項８記載の照明器具によれば、請求項６と同様な効果のほか、それをパネル付照明器具で達成できる。
【００３７】
請求項９記載の照明器具は、請求項１において、前記センサがその検知エリア内の人体の存否に応じた出力が得られる人感センサである。
【００３８】
請求項９記載の照明器具によれば、請求項１と同様な効果がある。
【００３９】
請求項１０記載の照明器具は、請求項１において、前記センサが、その検知エリア内の照度に応じた出力が得られる照度センサである。
【００４０】
請求項１０記載の照明器具によれば、請求項１と同様な効果がある。
【００４１】
【発明の実施の形態】
（実施の形態１）
本発明の第１の実施の形態の照明器具は、図１から図３に示すように、いわゆる富士形照明器具である。これは、器具本体１と、器具本体１に取付られた１本の略直管状のランプ２例えば直管形ランプと、ランプ２を点灯させる安定器３と、センサ４の出力に基づいて安定器３を制御する制御部５とを備えている。６はソケット台、７はランプソケット、８は反射板固定のためのラッチ、９はラッチ８によりラッチ挿通孔１０ａを透して器具本体１に取付けられる富士型反射板である。４０は電源線４４の端子台、４１はねじの付いた吊り棒、４２は座金、４３はナットである。
【００４２】
施工完成状態で、センサ４はランプ２が検知エリア外になるよう、図１に示すようにランプ側方に配置し、かつ反射板９から露出している。センサ４は器具本体１に施工時に図３（ｄ）に示すように取付られ、反射板９にはセンサ４を挿通させるための挿通孔１０が設けられている。すなわち、センサ本体４ａの後端部に３つの爪１４を突設し、抜止め爪付突出片１４に係止するスリット状の係止孔１３を器具本体１に取付けたＵ字形のセンサ取付部１１に形成し、突出片１４を係止孔１３に差し込んで固定する。なお、センサ４は、例えば検知エリア内の人体の存否に応じた出力が得られる人感センサ、または検知エリア内の照度に応じた出力が得られる照度センサである。
【００４３】
センサ４の長手方向の位置は中央部であるため、センサ４の検知エリアの中心と照明器具の照射エリアの中心を略一致させることができる。またセンサ４は器具本体１に設けられたセンサ取付部１１に、施工時に取り付けられるため、梱包状態のサイズを小さくすると共に輸送コストを低減できる。
【００４４】
この実施の形態の変形形態として、図４に示すように、センサ４を長手方向の中心から長手方向にずらすことで、器具の中央電源穴を設けることができる。
【００４５】
（実施の形態２）
本発明の第２の実施の形態は、図５および図６に示すように、いわゆる笠付き照明器具の場合であり、反射板９が富士形から笠形になっている。その他は第１の実施の形態と同様であり、共通部分に同一符号を付している。
【００４６】
図７は図４に対応してセンサ４を長手方向の中心からずらしたものである。
【００４７】
（実施の形態３）
本発明の第３の実施の形態は、第１の実施の形態と同様に器具長手方向においてセンサ４を中央部に配置した照明器具である。さらに図８に示すように、器具本体１のセンサ取付部１１は器具幅方向の中心部を外れた位置に設けている。このため、長手方向の中央にセンサ４を配置する場合においても、器具１の中央電源穴１２を設けることができる。図８において、（ａ）はセンサ取付部１１が略Ｌ字形板であり、センサ本体４ａの抜止め爪付突出片１４を係止する３箇所の係止孔１３を形成している。（ｂ）はセンサ取付部１１がコ字形に折曲された板の場合、（ｃ）はセンサ取付部１１がＺ字形に折曲された板の場合である。
【００４８】
（実施の形態４）
本発明の第４の実施の形態は、図９に示すように、笠付き照明器具の器具長手方向においてセンサ４を中央部に配置した照明器具である。以下、センサ４が器具幅方向の中心部を外れた位置に設けている等、第３の実施の形態と共通するので説明を省略し、共通箇所に同一符号を付している。
【００４９】
（実施の形態５）
本発明の第５の実施の形態は、図１０および図１１に示すように、第１の実施の形態と略同じであって、器具長手方向においてセンサ４を一端側に配置した照明器具である。図１１に示すように、この照明器具１５を例えば部屋１６の隅寄りなどにおいて、照明器具１５の照射エリアの中心とセンサの検知エリアの中心をずらしたい場合に有効である。１７はセンサ４が長手方向の中央にある照明器具である。
【００５０】
また、図１２に示すように、例えばトイレなど間仕切り１８がある部屋１９において、間仕切り１８上にセンサ４を配置することで、部屋１９のメインの空間を主に照射しながら両方の空間を検知エリアＨとすることが可能となり有効である。
【００５１】
なお、センサ４をランプ２の一端側に限らず、ランプソケット付近またはランプソケットに設けてもよい。
【００５２】
（実施の形態６）
本発明の第６の実施の形態は、図１１に示すように、笠付き照明器具の器具長手方向においてセンサ４を一端側またはソケット部に配置した照明器具ある。以下、第５の実施の形態と同様であり、共通する部分に同一符号を付している。
【００５３】
（実施の形態７）
本発明の第７の実施の形態は、図１４に示すように、第１の実施の形態と略同じであって、センサ４を器具本体１のセンサ取付部１１に梱包時から固定されている照明器具である。
【００５４】
センサ４が固定されているため、施工時のセンサ４の取付作業も不要となり、センサ４を備えていない照明器具と同等の施工性が確保される。
【００５５】
（実施の形態８）
本発明の第８の実施の形態は、図１５に示すように、第７の実施の形態と略同じであって、器具の幅方向の断面に対してセンサ４の向きを矢印のように変えられる照明器具である。センサ本体４ａの後端部を軸２１で、センサ取付部１１に設けたＵ字形片２０の側板に回動可能に軸支し、側板に軸２１を中心とした円弧状のスリット２２を形成し、スリット２２を摺動可能なピン２３をセンサ本体４ａに設けている。このため、センサ本体４ａを軸２１を中心に回動するとピン２３がスリット２２に沿って摺動し、センサ本体４ａが回動できる。
【００５６】
このようにしてセンサ４を倒して照明器具を収納することで梱包サイズの低減が可能であり、また、施工性もセンサ４を備えていない器具と同等である。さらに、センサ４の向きを変えることで、器具の幅方向に対して検知エリアＨの調整が可能となる。
【００５７】
（実施の形態９）
本発明の第９の実施の形態は、図１６に示すように、第８の実施の形態と略同じであって、器具の長手方向に対してセンサ４の向きを変えられる照明器具である。第８の実施の形態と共通する部分に同一符号を付している。ただし、センサ４の回動方向が第８の実施の形態のように器具幅方向ではなく、器具長手方向である。
【００５８】
センサ４を倒して収納することで梱包サイズの低減が可能であり、また、施工性もセンサ４を備えていない器具と同等である。さらに、センサ４の向きを変えることで、器具の長手方向に対して検知エリアの調整が可能となる。
【００５９】
（実施の形態１０）
本発明の第１０の実施の形態は、図１７に示すように、第１の実施の形態と略同じであって、センサ４を反射板９に取付ける照明器具である。センサ４は反射板９にセンサ取付部としてあけられた係止孔１３にセンサ４の突出片１４により位置決め及び取付けされる。センサ４を反射板９に直接取り付けるため、反射板９とセンサ４の隙間がなく外観がよい。また、反射板９にセンサ取付部を複数箇所設けることで、器具長手方向のセンサ配置を変えることが可能となる。
【００６０】
（実施の形態１１）
本発明の第１１の実施の形態は、図１８に示すように、第１０の実施の形態と略同じであって、センサ４を梱包時から反射板９に固定した照明器具である。反射板９とセンサ４の隙間がなく外観がよい。また、センサ４の取付作業が不要なため施工性もよい。
【００６１】
（実施の形態１２）
本発明の第１２の実施の形態は、図１９に示すように、第１１の実施の形態と略同じであって、センサ４は反射板９に取付られ、センサ４の向きを幅方向の断面に対して変えられる照明器具である。すなわち、反射板９にＵ字形板２０を取付け、図１５と同様にセンサ本体４ａを軸２１で側板に軸支し、ピン２３を円弧状のスリット２２に通して、センサ４を回動可能にしている。梱包時はセンサ４を倒して収納することで、梱包サイズの低減が可能である。また、センサ４の向きを変えることで、器具の幅方向に対して検知エリアの調整が可能となる。
【００６２】
（実施の形態１３）
本発明の第１３の実施の形態は、図２０に示すように、第１２の実施の形態と略同じであって、センサ４は反射板９に取付けられ、センサ４の向きを長手方向に変えられる照明器具である。その具体的な回動構造は図１６と同様であり、共通する部分に同一符号を付しているが、センサ４を器具長手方向に回動することができる。梱包時はセンサ４を倒して収納することで、梱包サイズの低減が可能である。また、センサ４の向きを変えることで、器具の長手方向に対して検知エリアの調整が可能となる。
【００６３】
（実施の形態１４）
本発明の第１４の実施の形態の照明器具は、図２１に示すように、下面開放型器具である。すなわち、器具本体１が前面透光開口１ａを有する比較的薄形の箱形をなしている。センサ４を器具本体１の周側縁近傍から下方に垂下させ、施工完成状態で、センサ４はランプ２が検知エリア外になるよう、ランプ側方に配置している。
【００６４】
センサ４は器具本体１に取付られ、反射板９にはセンサ４を挿通させるための挿通孔１０が設けられている。４９は天井埋め込み穴である。その他、図２と共通する部分に図２と同一符号を付している。
【００６５】
（実施の形態１５）
本発明の第１５の実施の形態は、図２２に示すように、第１４の実施の形態と略同じであって、器具本体１の前面透光開口１ａに配光制御体としてルーバ３０を設けたルーバ付き器具である。
【００６６】
（実施の形態１６）
本発明の第１６の実施の形態は、図２３に示すように、第１４の実施の形態と略同じであって、器具本体１の前面透光開口１ａに配光制御体としてパネル３１を設けたパネル付き器具である。パネル３１にはセンサ４を通す通し孔３１ａを形成している。
【００６７】
【発明の効果】
請求項１記載の照明器具によれば、センサはランプが検知エリア外となるように反射板から露出して設けられているため、センサを備えていない器具と同様に施工することができ、さらに施工面への取付手段などを含めた器具の形状に関する特有の設計が不要になる。
【００６８】
請求項２記載の照明器具によれば、請求項１と同様な効果のほか、器具全体の外形寸法をセンサを備えていない照明器具と同じにすることができるので、センサを備えていない器具との取り替えも容易になる。
【００６９】
請求項３記載の照明器具によれば、請求項１と同様な効果のほか、照明器具の照射範囲の中心とセンサの検知範囲の中心とを略一致させることができ、施工時に器具本体の取付方向の自由度が高くなる。
【００７０】
請求項４記載の照明器具によれば、請求項１と同様な効果のほか、器具本体の中央に電源線を引き込むための電源穴を設けることが容易になり、既設のセンサを備えていない器具との取り替え工事が容易になる。
【００７３】
請求項５記載の照明器具によれば、センサを取り外した状態で収納することで、梱包サイズ、輸送コストが低減できる。また、センサの取付部を複数箇所設けることで、センサの長手方向の配置を変えることができる。しかも、センサを備えていない器具と同等の施工性を確保できる。
【００７６】
請求項６記載の照明器具によれば、請求項１と同様な効果のほか、器具の配光、外観を損なうことなく、センサ付照明器具を実現することができる。
【００７７】
請求項７記載の照明器具によれば、請求項６と同様な効果のほか、それをルーバ付照明器具で達成できる。
【００７８】
請求項８記載の照明器具によれば、請求項６と同様な効果のほか、それをパネル付照明器具で達成できる。
【００７９】
請求項９記載の照明器具によれば、請求項１と同様な効果がある。
【００８０】
請求項１０記載の照明器具によれば、請求項１と同様な効果がある。
【図面の簡単な説明】
【図１】この発明の第１の実施の形態を示し、（ａ）は斜視図、（ｂ）はその拡大断面図である。
【図２】その分解斜視図である。
【図３】（ａ）は正面図、（ｂ）は底面図、（ｃ）はその左側面図、（ｄ）はセンサの取付けを示す部分斜視図である。
【図４】変形の形態を示し、（ｂ）は正面図、（ｃ）は底面図、（ｄ）はその左側面図である。
【図５】第２の実施の形態を示し、（ａ）は斜視図、（ｂ）はその断面図である。
【図６】その分解斜視図である。
【図７】その変形の形態を示し、（ａ）は斜視図、（ｂ）は正面図、（ｃ）は底面図、（ｄ）はその左側面図である。
【図８】第３の実施の形態のセンサの取付けの各種の態様を示す部分斜視図である。
【図９】第４の実施の形態を示し、（ａ）は斜視図、（ｂ）は正面図、（ｃ）は底面図、（ｄ）はその左側面図である。
【図１０】第５の実施の形態を示し、（ａ）は斜視図、（ｂ）は正面図、（ｃ）は底面図、（ｄ）はその左側面図である。
【図１１】中央にセンサの付いた照明器具と、端部にセンサの付いた照明器具の配置例を示す部分説明図である。
【図１２】センサ下に間仕切りがある場合を示す説明図である。
【図１３】第６の実施の形態を示し、（ａ）は斜視図、（ｂ）は正面図、（ｃ）は底面図、（ｄ）はその左側面図である。
【図１４】第７の実施の形態の部分斜視図である。
【図１５】第８の実施の形態を示し、（ａ）は部分斜視図、（ｂ）は側面図である。
【図１６】第９の実施の形態を示し、（ａ）は部分斜視図、（ｂ）は正面図である。
【図１７】第１０の実施の形態の部分斜視図である。
【図１８】第１１の実施の形態の部分斜視図である。
【図１９】第１２の実施の形態を示し、（ａ）は部分斜視図、（ｂ）は側面図である。
【図２０】第１３の実施の形態を示し、（ａ）は部分斜視図、（ｂ）は正面図である。
【図２１】第１４の実施の形態を示し、（ａ）は半断面図、（ｂ）は分解斜視図である。
【図２２】第１５の実施の形態を示し、（ａ）は断面図、（ｂ）は分解斜視図である。
【図２３】第１６の実施の形態を示し、（ａ）は半断面図、（ｂ）は分解斜視図である。
【図２４】従来例１の施工状態の天井を見上げた平面図である。
【図２５】従来例２を示し、（ａ）は２灯型の平面図、（ｂ）その斜視図、（ｃ）は別の従来例の１灯型の平面図である。
【図２６】その使用例の平面図である。
【図２７】従来例３を示し、（ａ）は正面図、（ｂ）は平面図、（ｃ）はその側面図である。
【図２８】（ａ）はその半断面図、（ｂ）は斜視図である。
【図２９】分解斜視図である。
【図３０】従来例４を示し、（ａ）は断面図、（ｂ）はセンサの斜視図である。
【図３１】（ａ）は富士型反射板にセンサを装着した状態の斜視図、（ｂ）は笠型反射板にセンサを装着した斜視図である。
【符号の説明】
１    器具本体
２    ランプ
４    センサ
９    反射板
３０    ルーバ
３１    パネル
【図１】
0004316099.tif 000002
【図２】
0004316099.tif 000003
【図３】
0004316099.tif 000004
【図４】
0004316099.tif 000005
【図５】
0004316099.tif 000006
【図６】
0004316099.tif 000007
【図７】
0004316099.tif 000008
【図８】
0004316099.tif 000009
【図９】
0004316099.tif 000010
【図１０】
0004316099.tif 000011
【図１１】
0004316099.tif 000012
【図１２】
0004316099.tif 000013
【図１３】
0004316099.tif 000014
【図１４】
0004316099.tif 000015
【図１５】
0004316099.tif 000016
【図１６】
0004316099.tif 000017
【図１７】
0004316099.tif 000018
【図１８】
0004316099.tif 000019
【図１９】
0004316099.tif 000020
【図２０】
0004316099.tif 000021
【図２１】
0004316099.tif 000022
【図２２】
0004316099.tif 000023
【図２３】
0004316099.tif 000024
【図２４】
0004316099.tif 000025
【図２５】
0004316099.tif 000026
【図２６】
0004316099.tif 000027
【図２７】
0004316099.tif 000028
【図２８】
0004316099.tif 000029
【図２９】
0004316099.tif 000030
【図３０】
0004316099.tif 000031
【図３１】
0004316099.tif 000032